(57)【要約】【課題】低コストでフィルタの取付けと保持を行うフィルタを提供すること。【解決手段】  フィルタエレメント22をベース24に取付けているフィルタ20であって、第一と第二のエンドキャップ26、28を軸方向に離間させるように備える。ろ過される流体は、ろ過材32を横方向40に通り抜けた後、軸方向42に中空室と第二のエンドキャップ28の軸方向の流通用の開口部内を流れる。フィルタエレメント22は、第一エンドキャップ26とは無関係に、第二エンドキャップ28によってベース24に取付けられている。故に、従来、ハウジングカバーをベース24に対して取付けて、ハウジング内にフィルタエレメント22を覆い、及び／または密封させ、及び／または保持するのに必要としていた３番目の部品の必要性を省くことができる。【選択図】  図１
2005125325.tif 000002
【特許請求の範囲】
【請求項１】
フィルタエレメントをベースに取付けているフィルタであって、前記フィルタエレメントは第一と第二のエンドキャップを軸方向に離間させるように有しており、前記第二エンドキャップは軸方向に流通用の開口部を貫通するように備え、さらに前記エンドキャップの間に延ばすとともに、前記軸方向の流通用の開口部と連通する中空室の境界に沿って閉ループ状に延ばすようにろ過材を備え、この際、ろ過される流体は、前記ろ過材を横方向に通り抜けた後、軸方向に前記中空室と前記軸方向の流通用の開口部内を流れ、前記フィルタエレメントは前記第二エンドキャップによって前記ベースに取付けられることを特徴とするフィルタ。
【請求項２】
前記フィルタエレメントは、前記第一エンドキャップとは無関係に、前記第二エンドキャップによって前記ベースに取付けられることを特徴とする請求項１に記載のフィルタ。
【請求項３】
前記フィルタエレメントは、前記第二エンドキャップのみによって前記ベースに取付けられることを特徴とする請求項２に記載のフィルタ。
【請求項４】
前記第二エンドキャップと前記ベースの間で相互作用し、これらの間に軸方向の保持力を及ぼすようにリテーナーを有することを特徴とする請求項１に記載のフィルタ。
【請求項５】
前記リテーナーは、前記第一エンドキャップとは無関係に、前記軸方向の保持力を及ぼすことを特徴とする請求項４に記載のフィルタ。
【請求項６】
前記リテーナーは、前記ベースとともにハウジングを形成して、かつ前記フィルタエレメントを囲む任意のカバーとは無関係に、前記軸方向の保持力を及ぼすことを特徴とする請求項５に記載のフィルタ。
【請求項７】
前記第二エンドキャップと前記ベースの間に、可撓性を有する圧縮可能な軸方向のシーリングガスケットを備えて、前記軸方向の保持力とは反対方向に軸方向のバイアス力を及ぼすことを特徴とする請求項４に記載のフィルタ。
【請求項８】
フィルタエレメントをベースに取付けているフィルタであって、前記フィルタエレメントは第一と第二のエンドキャップを軸方向に離間させるように有しており、前記第二エンドキャップは軸方向に流通用の開口部を貫通するように備え、さらに前記エンドキャップの間に延ばすとともに、前記軸方向の流通用の開口部と連通する中空室の境界に沿って閉ループ状に延ばすようにろ過材を備え、この際、ろ過される流体は、前記ろ過材を横方向に通り抜けた後、軸方向に前記中空室と前記軸方向の流通用の開口部内を流れ、前記第二エンドキャップは前記ろ過材の側方で外側のフランジまで横方向に外側に延び、前記外側のフランジ上にリテーナーを設けて、前記第二エンドキャップで前記フィルタエレメントを前記ベースに取付けることを特徴とするフィルタ。
【請求項９】
前記ろ過材は第一の外側の縁部を有し、前記外側のフランジは、前記第一の外側の縁部よりも側方の外側に第二の外側の縁部を有し、前記第一と第二の外側の縁部の間の横方向に前記リテーナーを設けられるように十分に延ばしていることを特徴とする請求項８に記載のフィルタ。
【請求項１０】
前記リテーナーは、前記第二エンドキャップを前記ベースに対してスナップ係合させるように取付けることを特徴とする請求項８に記載のフィルタ。
【請求項１１】
前記リテーナーは、直線状で一方向性の軸方向の挿入によって、前記第二エンドキャップを前記ベースに対して取付けることを特徴とする請求項１０に記載のフィルタ。
【請求項１２】
前記リテーナーは、前記第二エンドキャップと前記ベースのいずれか一方にフックを設け、かつ前記第二エンドキャップと前記ベースのいずれか他方にキャッチを設けることを特徴とする請求項１０に記載のフィルタ。
【請求項１３】
前記フックは、前記第二エンドキャップと前記ベースの前記いずれか一方上の前記ヒンジ部から軸方向に延びる軸部上に設けられ、この際、前記フックは、前記第二エンドキャップと前記ベースの前記いずれか他方に向って又は離れて、前記キャッチと係合し又は係合を解除するように、前記ヒンジ部に関して横方向に移動可能であることを特徴とする請求項１２に記載のフィルタ。
【請求項１４】
前記フックは軸方向に反対側に向うように第一と第二の表面を有し、前記キャッチは軸方向に反対側に向うように第三と第四の表面を有し、この際、前記第二エンドキャップは軸方向の装着動作によって前記ベースに取付けられて、前記第二と第三の表面はカム面として作用して、前記第一表面が前記第四表面を越えて軸方向に移動するまで、第一横方向で側方に前記フックとカム状に作用し、さらに前記フックは前記第一横方向とは反対方向の第二横方向で側方に弾力的に戻って、前記第一表面を前記第四表面と軸方向に並ばせ、かつ軸方向に係合させて、前記第二エンドキャップが前記ベースから軸方向に離れることを防ぐようにすることを特徴とする請求項１３に記載のフィルタ。
【請求項１５】
前記第一表面は前記ヒンジ部に対して軸方向に面し、かつ前記第二表面は前記ヒンジ部から軸方向に離れるように面することを特徴とする請求項１４に記載のフィルタ。
【請求項１６】
前記第一表面は前記ヒンジ部から軸方向に離れるように面し、かつ前記第二表面は前記ヒンジ部に対して軸方向に面することを特徴とする請求項１４に記載のフィルタ。
【請求項１７】
前記フックは前記ヒンジ部に関して手動操作によって前記第一横方向に側方に移動可能であって、前記第一表面を前記第四表面から軸方向の整合と軸方向の係合を解除させるように移動させて、前記フックを前記キャッチから解除させることで、前記第二エンドキャップを前記ベースから軸方向に分離させるようにすることを特徴とする請求項１４に記載のフィルタ。
【請求項１８】
前記リテーナーは、前記ヒンジ部で合わさり、かつここから軸方向に互いに反対方向に延びるように第一と第二の脚部を有し、前記第二脚部は前記軸部を構成し、前記ヒンジ部から前記フックまで軸方向に延び、前記第一と第二の脚部は前記ヒンジ部を支点とするようにシーソー状に設けられて、前記第一脚部を手で掴んで前記第二横方向に側方に移動させると、前記第二脚部は前記支点にてピボット状に作用されて、前記第一横方向に移動して、前記フックを前記キャッチから解除して、前記第二エンドキャップを前記ベースから軸方向に分離させるようにすることを特徴とする請求項１４に記載のフィルタ。
【請求項１９】
前記第一脚部は前記ヒンジ部から前記第一エンドキャップに向って軸方向に延び、前記ろ過材の横方向外側に設けられて、これらの間に横方向にギャップを設けることを特徴とする請求項１８に記載のフィルタ。
【請求項２０】
前記第一脚部の前記第二横方向の移動は、前記ろ過材に対して横方向内側に向うことを特徴とする請求項１９に記載のフィルタ。
【請求項２１】
前記リテーナーは、前記ヒンジ部からタブ部まで軸方向に延びるようにアームを有し、この際、前記フックは前記ヒンジ部と前記タブ部の間で軸方向で、かつ前記アームから横方向に延び、前記アームは前記フックと前記タブ部の間に延びるように第一区間と、前記フックと前記ヒンジ部の間に延びるように第二区間を有して、前記軸部を構成することで、前記タブ部で前記アームを手で掴んで前記第一横方向に前記アームを側方に移動させると、前記フックを前記キャッチから解除して、前記第二エンドキャップを前記ベースから軸方向に分離させるようにすることを特徴とする請求項１７に記載のフィルタ。
【請求項２２】
前記アームの前記第一区間は前記フックから前記第一エンドキャップに向うように軸方向に延び、前記ろ過材の横方向外側に設けられて、これらの間に横方向にギャップを設けることを特徴とする請求項２１に記載のフィルタ。
【請求項２３】
前記アームの前記第一区間の前記第一横方向での移動は、横方向内側に前記ろ過材に向うことを特徴とする請求項２２に記載のフィルタ。
【請求項２４】
前記第三表面は前記ヒンジ部に対して軸方向に向うように面し、かつ前記第四表面は前記ヒンジ部から軸方向に離れるように面することを特徴とする請求項１４に記載のフィルタ。
【請求項２５】
前記第三表面は前記第一エンドキャップに対して軸方向に向うように面し、かつ前記第四表面は前記第一エンドキャップから軸方向に離れるように面することを特徴とする請求項１４に記載のフィルタ。
【請求項２６】
前記第三表面は前記第一エンドキャップから軸方向に離れるように面し、かつ前記第四表面は前記第一エンドキャップに対して軸方向に向うように面することを特徴とする請求項１４に記載のフィルタ。
【請求項２７】
前記フックは前記第二エンドキャップのヒンジ部から軸方向に延びる軸部上に設けられ、この際、前記フックは前記ヒンジ部に関して前記ろ過材に向って又は離れて、前記キャッチと係合し又はこの係合を解除するように横方向に移動可能であることを特徴とする請求項１２に記載のフィルタ。
【請求項２８】
前記フックは、前記ろ過材に向って、前記キャッチの係合を解除するように前記ヒンジ部に関して横方向に移動し、また前記フックは、前記ろ過材から離れて、前記キャッチと係合するように前記ヒンジ部に関して横方向に移動することを特徴とする請求項２７に記載のフィルタ。
【請求項２９】
前記第二エンドキャップと前記ベースの前記いずれか一方はプラスチック製であって、前記ヒンジ部はスプリングレバーであることを特徴とする請求項１３に記載のフィルタ。
【請求項３０】
前記フィルタエレメントは第一軸方向で前記ベースに対して軸方向に装着され、前記リテーナーは前記フィルタエレメントを前記ベースに対して前記軸方向に装着するとき、前記第二エンドキャップを前記ベースに対してスナップ係合させるように取付け、前記リテーナーは前記第二エンドキャップと前記ベースの間に解除可能なように軸方向の保持力を及ぼして、前記第二軸方向で前記第二エンドキャップが前記ベースから軸方向に分離することを防ぐようにし、前記第二軸方向は前記第一軸方向とは反対方向であって、前記第二エンドキャップと前記ベースの間に可撓性を有する圧縮可能な軸方向のシーリングガスケットを備えて、前記第二軸方向で軸方向のバイアス力を及ぼすようにしたことを特徴とする請求項８に記載のフィルタ。
【請求項３１】
前記第一エンドキャップはクローズ型のエンドキャップであることを特徴とする請求項８に記載のフィルタ。
【請求項３２】
前記フィルタはエアーフィルタであることを特徴とする請求項８に記載のフィルタ。
【発明の詳細な説明】
【技術分野】
【０００１】
本発明は、エアーフィルタを含む、フィルタに関する。より具体的には、本発明は、低コストでフィルタを取付けて、保持させるシステムに関する。
【背景技術】
【０００２】
一般に、エアーフィルタは３つの部品から構成されている。即ち、（１）フィルタエレメントと、（２）ハウジングのベースと、（３）ベースに対して取付けられて、ハウジング内でフィルタエレメントを覆い、及び／または密封させ、及び／または保持するハウジングのカバーから構成されている。
【発明の開示】
【発明が解決しようとする課題】
【０００３】
本発明は、以上の点に鑑みてなされたものであり、３番目の部品の必要性を省き、オプションとしてカバーを利用できるようにしたフィルタを提供することを目的とするものである。
【課題を解決するための手段】
【０００４】
本発明は、上記課題を解決するための手段として、好適な実施形態では、３番目の部品（カバー）を用いなくとも、直接、１番目の部品を２番目の部品に対して取付け、保持させ、また密着させることで、３番目の部品の必要性を省くようにする。本発明は、特に内燃機関用のインテークエアークリーナーに用いられるのに効果的である。
【０００５】
即ち、請求項１に記載した発明においては、フィルタエレメントをベースに取付けているフィルタであって、前記フィルタエレメントは第一と第二のエンドキャップを軸方向に離間させるように有しており、前記第二エンドキャップは軸方向に流通用の開口部を貫通するように備え、さらに前記エンドキャップの間に延ばすとともに、前記軸方向の流通用の開口部と連通する中空室の境界に沿って閉ループ状に延ばすようにろ過材を備え、この際、ろ過される流体は、前記ろ過材を横方向に通り抜けた後、軸方向に前記中空室と前記軸方向の流通用の開口部内を流れ、前記フィルタエレメントは前記第二エンドキャップによって前記ベースに取付けられることを特徴とする。
また、請求項８に記載した発明においては、フィルタエレメントをベースに取付けているフィルタであって、前記フィルタエレメントは第一と第二のエンドキャップを軸方向に離間させるように有しており、前記第二エンドキャップは軸方向に流通用の開口部を貫通するように備え、さらに前記エンドキャップの間に延ばすとともに、前記軸方向の流通用の開口部と連通する中空室の境界に沿って閉ループ状に延ばすようにろ過材を備え、この際、ろ過される流体は、前記ろ過材を横方向に通り抜けた後、軸方向に前記中空室と前記軸方向の流通用の開口部内を流れ、前記第二エンドキャップは前記ろ過材の側方で外側のフランジまで横方向に外側に延び、前記外側のフランジ上にリテーナーを設けて、前記第二エンドキャップで前記フィルタエレメントを前記ベースに取付けることを特徴とする。
【発明を実施するための最良の形態】
【０００６】
以下、本発明に係る好適な実施形態について、添付した図を参照して説明する。
図１は、フィルタエレメント２２をベース２４に取付けているフィルタ２０を示している。フィルタエレメント２２は第一と第二のエンドキャップ２６と２８を軸３０方向に離間させるように有している。図２に示すように、エンドキャップ２８は軸方向に流通用の開口部３０を貫通するように備えている。また、フィルタエレメント２２はろ過材３２を有するが、図５に例示するようにろ過材３２はひだを付けていてもよく、また、図２に示すように、ろ過材３２は外側のライナー３４及び／または内側のライナー３６をエンドキャップ２６と２８の間に延ばすとともに、軸方向の流通用の開口部３０と連通する中空室３８の境界に沿って、円環状、楕円形状、レーストラック形状等のように閉ループ状に延びるように備えられていてもよい。エンドキャップ２６と２８は好ましくはプラスチック製であって、また好ましくはこの中にろ過材３２を従来公知の埋め込み／施工技術により埋め込めたり、取付けている。ろ過される流体は、図１の破線の矢印４０に示すようにろ過材を横方向に通り抜けた後、破線の矢印４２に示すように軸方向に中空室３８と軸方向の流通用の開口部３０内を流れて、ベース２４内の内部の通路４４内に流入して、内燃機関（図示せず）のエアーインテークに送られる。ここで、上方のエンドキャップ２６はクローズ型のエンドキャップであって、フィルタエレメント２２の中空室３８をまたがって、閉鎖している。フィルタエレメント２２は、エンドキャップ２８によってベース２４に取付けられている。この際、フィルタエレメントはエンドキャップ２８のみによってベースに取付けられており、エンドキャップ２６とは無関係である。また、リテーナーを用いて、エンドキャップ２８とベース２４の間で作用させて、これらの間に軸方向の保持力を及ぼすようにしているが、このことはエンドキャップ２６や、ベースとともにハウジングを形成し、フィルタエレメントを囲む任意のカバーとは無関係である。
【０００７】
エンドキャップ２８は、ろ過材３２の側方で外側のフランジ４６まで横方向に外側に延びる。この外側のフランジ４６上に設けたリテーナー４８によって、エンドキャップ２８にてフィルタエレメント２２をベース２４に取付けている。図１に示すように、ろ過材３２は外側に縁部５０を有する。外側のフランジ４６は、外側の縁部５０よりも側方の外側に外側の縁部５２を有し、これら外側の縁部５０、５２の間の横方向にリテーナー４８を設けられるように十分に延ばしている。図２を参照すると、矢印５４に示すように、直線状で一方向性の軸方向の挿入によって、リテーナー４８はエンドキャップ２８をベース２４に対してスナップ係合させている。図２に示すように、リテーナー４８はエンドキャップ２８上にフック５６を備えており、またベースから側方に延びるフランジ６２にスロット又は開口部６０を設けるように、ベース２４上にキャッチ５８を備えている。フック５６は、エンドキャップ２８上の部分的に可撓性のヒンジ部から軸方向に延びる軸部（シャンク）６４上に設けられている。フック５６は、ベース２４のスロット又は開口部６０の縁部に向って又は離れて、キャッチ５８と係合したり、この係合を解除するように、ヒンジ部６６に関して横方向に移動できる。
【０００８】
フック５６は、軸方向に反対側に向うように表面６８、７０を有する。また、キャッチ５８は、軸方向に反対側に向うように表面７２、７４を有する。エンドキャップ２８は軸方向の装着動作５４によってベース２４に取付けられるが、この際、表面７０と７２はカム面として作用して、表面６８が表面７４を越えて軸方向に移動するまで、第一横方向（図２の右方向）でフック５６をカム状に作用させるように係合する。さらに、フック５６は、上記第一横方向とは反対方向の第二横方向（図２の左方向）に弾力的に戻って、表面６８を表面７４と軸方向に並ばせ、かつ軸方向に係合させて、エンドキャップ２８がベース２４から軸方向に離れることを防ぐようにして、図１及び２で、エンドキャップ２８が上方に移動することを防ぐようにする。尚、表面６８はヒンジ６６に対して軸方向に向うように面する。また、表面７０はヒンジ６６から軸方向に離れるように面する。また、表面７４はヒンジ６６から軸方向に離れるように面する。また、表面７２はエンドキャップ２８に対して軸方向に向うように面する。また、表面７４はエンドキャップ２８から軸方向に離れるように面する。このフック５６は、手動によりヒンジ６６に関して上記第一横方向（図２の右方向）に側方に移動可能であって、例えば、使用者が指でフックを掴んで、横方向内側に向ってフックをつまむようにして、表面７４との軸方向の整合と軸方向の係合を外すように表面６８を横方向内側に移動させて、フック５６をキャッチ５８から解除させることで、エンドキャップ２８とベース２４を軸方向に分離させて、図２でエンドキャップ２８を軸方向上方に移動できるようにする。尚、表面７２はヒンジ６６に対して軸方向に面する。また、エンドキャップ２６と２８とベース２４は好ましくはプラスチック製であって、ヒンジ６６はリビングヒンジである。また、必要に応じて、ベース２４とエンドキャップ２８の間に軸方向にシーリングするガスケット７６を設けて、フック５６とキャッチ５８によって備えられるリテーナーにより密封を保つようにする。
【０００９】
図３と４を参照すると、本発明に係る他の実施形態について示しており、理解の容易化を図るため、同様の部材については、同様の参照番号を付している。フィルタ１２０は、フィルタエレメント２２をベース１２４に取付けており、またエンドキャップ２６と１２８を軸３０方向に離間させるように有している。また、エンドキャップ１２８は軸方向に流通用の開口部１３０を貫通するように備えている。また、ろ過材３２をエンドキャップ２６と１２８の間で軸方向に延ばし、かつ軸方向の流通用の開口部３０と連通する中空室３８の境界に沿って、閉ループ状に延ばすように備えている。ろ過される流体は、破線の矢印４０に示すようにろ過材３２を横方向に通り抜けた後、破線の矢印４２に示すように軸方向に中空室３８と流通用の開口部１３０を流れる。フィルタエレメント２２は、エンドキャップ１２８によってベース１２４に取付けられている。この際、フィルタエレメント２２はエンドキャップ１２８のみによってベース１２４に取付けられており、エンドキャップ２６とは無関係である。また、リテーナーを用いて、エンドキャップ１２８とベース１２４の間で作用させて、これらの間に軸方向の保持力を及ぼしているが、このことはエンドキャップ２６や、ベースとともにハウジングを形成し、フィルタエレメントを囲む任意のカバーとは無関係である。
【００１０】
エンドキャップ１２８は、ろ過材３２の側方で外側のフランジ１４６まで横方向に外側に延びる。また、リテーナー１４８によって、エンドキャップ１２８にてフィルタエレメントをベース１２４に取付けている。ろ過材３２は、上述のように、第一の外側の縁部５０を有する。外側のフランジ１４６は、外側の縁部５０よりも側方の外側に、上述のように第二の外側の縁部５２を有し、これら第一と第二の外側の縁部５０、５２の間の横方向にリテーナー１４８を設けられるように十分に延ばしている。リテーナー１４８は、直線状で一方向性の軸方向の挿入によって、エンドキャップ１２８をベース１２４に対してスナップ係合させている。リテーナー１４８は、ベース１２４から側方に延びるフランジ１６２上にフック１５６を備え、またエンドキャップ１２８の側方に延びるフランジ１４６上にキャッチ１５８を備えている。フック１５６は、ベース１２４のヒンジ部１６６から軸方向に延びる軸部１６４上に設けられる。また、フック１５６は、エンドキャップ１２８のスロット又は開口部１６０の縁部に向って又は離れて、キャッチ１５８と係合したり、この係合を解除するように、ヒンジ部１６６に関して横方向に移動可能である。
【００１１】
フック１５６は、軸方向に反対側に向うように表面１６８、１７０を有する。また、キャッチ１５８は、軸方向に反対側に向うように表面１７２、１７４を有している。エンドキャップ１２８は、軸方向の装着動作１５４によってベース１２４に取付けられる。この際、表面１７０と１７２はカム面として作用して、表面１６８が表面１７２を越えて軸方向に移動するまで、第一横方向（図４の右方向）でフック１５６とカム状に作用するように係合する。さらに、フック１５６は、上記第一横方向とは反対方向の第二横方向（図４の左方向）で側方に弾力的に戻って、表面１６８を表面１７４と軸方向に並び、かつ軸方向に係合させて、エンドキャップ１２８がベース１２４から軸方向に離れることを防ぐようにして、図４で、エンドキャップ１２８が上方に移動することを防ぐようにする。尚、表面１６８はヒンジ部１６６に対して軸方向に向うように面する。また、表面１７０はヒンジ部１６６から軸方向に離れるように面する。また、表面１７２はエンドキャップ２６から軸方向に離れるように面する。また、表面１７４はエンドキャップ２６に対して軸方向に向うように面する。このフック１５６は、手動によりヒンジ１６６に関して上記第一横方向（図４の右方向で、例えば、使用者が指でフックを掴んで、つまむように手動操作する）で側方に移動可能であって、表面１７４との軸方向の整合と軸方向の係合を外すように表面１６８を横方向に右側に移動させて、フック１５６をキャッチ１５８から解除させることで、エンドキャップ１２８とベース１２４を軸方向に分離させて、図４でエンドキャップ１２８を軸方向上方に移動できるようにする。尚、エンドキャップ２６と１２８とベース１２４は好ましくはプラスチック製であって、ヒンジ１６６は好ましくはスプリングレバーである。
【００１２】
図５〜７を参照すると、本発明に係るさらなる他の実施形態について示しており、理解の容易化を図るため、同様の部材については、同様の参照番号を付している。フィルタ２２０は、フィルタエレメント２２をベース２２４に取付けている。フィルタエレメントは第一と第二のエンドキャップ２６と２２８を軸３０方向に離間させるように有している。図７に示すように、エンドキャップ２２８は軸方向に流通用の開口部２３０を貫通するように備えている。また、ろ過材３２をエンドキャップ２６と２２８の間を軸方向に延ばし、かつ軸方向の流通用の開口部２３０と連通する中空室３８の境界に沿って、閉ループ状に延ばすように備えている。ろ過される流体は、破線の矢印４０に示すようにろ過材を横方向に通り抜けた後、破線の矢印４２に示すように軸方向に中空室３８と軸方向の流通用の開口部２３０に流れる。フィルタエレメント２２はエンドキャップ２２８のみによってベース２２４に取付けられており、エンドキャップ２６とは無関係である。また、リテーナーを用いて、エンドキャップ２２８とベース２２４の間で作用させて、これらの間に軸方向の保持力を及ぼしているが、このことはエンドキャップ２６や、ベース２２４とともにハウジングを形成し、フィルタエレメントを囲む任意のカバーとは無関係である。
【００１３】
エンドキャップ２２８は、ろ過材３２の側方で外側のフランジ２４６まで横方向に外側に延びる。この外側のフランジ上に設けたリテーナー２４８によって、エンドキャップ２２８にてフィルタエレメントをベース２２４に取付けている。ろ過材３２は、上述のように、外側に縁部５０を有し、外側のフランジ２４６は外側の縁部５０よりも側方の外側に外側の縁部２５２を有し、これら第一と第二の外側の縁部５０、２５２の間の横方向にリテーナーを設けられるように十分に延ばしている。リテーナー２４８は、直線状で一方向性の軸方向の挿入２５４によって、エンドキャップ２２８をベース２２４に対してスナップ係合させている。リテーナー２４８は、エンドキャップ２２８とベース２２４のいずれか一方に、好ましくはエンドキャップ２２８上にフック２５６を備えており、またエンドキャップ２２８とベース２２４のいずれか他方に、好ましくはベース２２４上でフランジ２６２から側方に延びる場所にキャッチ２５８を備えている。フック２５６は、エンドキャップ２２８上でヒンジ部２６６から軸方向に延びる軸部２６４上に設けられている。フック２５６は、ベース２２４に向って又は離れて、キャッチ２５８と係合したり、この係合を解除するように、ヒンジ部２６６に関して横方向（つまり、図７の左右方向）に移動可能である。
【００１４】
フック２５６は、軸方向に反対側に向うように表面２６８、２７０を有する。また、キャッチ２５８は、軸方向に反対側に向うように表面２７２、２７４を有する。エンドキャップ２２８は、軸方向の装着動作２５４によってベース２２４に取付けられるが、この際、表面２７０と２７２はカム面として作用して、表面２６８が表面２７４を越えて軸方向に移動するまで、第一横方向（図７の左方向）で側方にフック２５６とカム状に作用するように係合する。さらに、フック２５６は、上記第一横方向とは反対方向の第二横方向（図７の右方向）で側方に弾力的に戻って、表面２６８を表面２７４と軸方向に並ばせ、かつ軸方向に係合させて、エンドキャップ２２８がベース２２４から軸方向に離れることを防ぐようにして、図７で、エンドキャップ２２８が上方に移動することを防ぐようにする。尚、表面２６８はヒンジ２６６に対して軸方向に向うように面する。また、表面２７０はヒンジ２６６から軸方向に離れるように面する。フック２５６は、ヒンジ部２６６に関して上記第一横方向（図７の左方向）で手動により側方に移動可能であって、表面２７４との軸方向の整合と軸方向の係合を外すように表面２６８を移動させて、フック２５６をキャッチ２５８から解除することで、エンドキャップ２２８とベース２２４を軸方向に分離させるようにしている。リテーナー２４８は、ヒンジ部２６６で合わさり、かつここから軸方向に互いに反対方向に延びるように第一と第二の脚部２８０と２８２を有する。脚部２８２は、ヒンジ部２６６から軸方向にフック２５６まで延びるように軸部２６４を構成している。脚部２８０と２８２は、ヒンジ部２６６を支点とするようにシーソー状に設けられている。このため、図７で右方向に、脚部２８０を手で掴んで側方に移動させると、脚部２８２は、支点２６６にてピボット状に作用されて、図７で左方向に、側方に移動して、フック２５６をキャッチ２５８から解除して、エンドキャップ２２８をベース２２４から軸方向に分離させることができる。脚部２８０はヒンジ部２６６からエンドキャップ２６に向って軸方向に延びており、ろ過材３２の側方外側に備えられて、これらの間に横方向にギャップ２８４を設けている。フック２５６を解除するためには、脚部２８０をろ過材３２に向って横方向に内側に移動させる。尚、カム作用を行う表面２７２は、ヒンジ２６６に対して軸方向に向うように面する。また、キャッチ２５８のロッキング作用を行う表面２７４は、ヒンジ２６６から軸方向に離れるように面する。また、表面２７２はエンドキャップ２６に対して軸方向に面する。また、表面２７４はエンドキャップ２６から軸方向に離れるように面する。エンドキャップ２６と２２８とベース２２４は好ましくはプラスチック製であって、ヒンジ２６６はエンドキャップ２２８と同一の部分として構成される。
【００１５】
図８と９を参照すると、本発明に係るさらなる他の実施形態について示しており、理解の容易化を図るため、同様の部材については、同様の参照番号を付している。この際、脚部２８１と２８３は、夫々図７に示した脚部２８０と２８２と意匠的に異なるように構成されている。但し、脚部２８１は、脚部２８０とは異なり、さらに外面にグリップ部２８５を有している。軸方向のシーリングガスケット７６と比べて、図５〜９では、エンドキャップ２２８とベース２２４の間に軸方向にシーリングガスケット２７６を備えて、軸方向に密封させている。
【００１６】
図１０〜１２を参照すると、本発明に係るさらなる他の実施形態について示しており、理解の容易化を図るため、同様の部材については、同様の参照番号を付している。フィルタ３２０は、フィルタエレメント２２をベース３２４に取付けている。フィルタエレメントは第一と第二のエンドキャップ２６と３２８を軸３０方向に離間させるように有している。エンドキャップ３２８は軸方向に流通用の開口部３３０を貫通するように備えている。また、ろ過材３２をエンドキャップ２６と３２８の間に延ばすとともに、軸方向の流通用の開口部３３０と連通する中空室３８の境界に沿って、閉ループ状に延ばすように備えていてもよい。ろ過される流体は、破線の矢印４０に示すようにろ過材３２を横方向に通り抜けた後、破線の矢印４２に示すように軸方向に中空室３８と軸方向の流通用の開口部３３０に流れる。このフィルタエレメント２２は、エンドキャップ３２８によってベース３２４に取付けられている。この際、フィルタエレメント２２はエンドキャップ３２８のみによってベース３２４に取付けられており、エンドキャップ２６とは無関係である。また、リテーナーを用いて、エンドキャップ３２８とベース３２４の間で作用させて、これらの間に軸方向の保持力を及ぼしているが、このことはエンドキャップ２６や、ベース３２４とともにハウジングを形成し、フィルタエレメント２２を囲む任意のカバーとは無関係である。
【００１７】
エンドキャップ３２８は、外側のフランジ３４６まで横方向に外側に延びて、エンドキャップ３２８にてフィルタエレメント２２をベース３２４に取付けている。ろ過材３２は、上述したように、第一の外側の縁部５０を有する。外側のフランジ３４６は、上述したように、外側の縁部５０よりも側方の外側に第二の外側の縁部５２を有し、これら第一と第二の外側の縁部５０、５２の間の横方向にリテーナー３４８を設けられるように十分に延ばしている。リテーナー３４８は、直線状で一方向性の軸方向の挿入３５４によって、エンドキャップ３２８をベース３２４に対してスナップ係合させている。リテーナー３４８は、エンドキャップ３２８とベース３２４のいずれか一方に、好ましくはエンドキャップ３２８上にフック３５６を備え、またエンドキャップ３２８とベース３２４のいずれか他方に、好ましくはベース３２４上にキャッチ３５８を備えている。フック３５６は、ヒンジ部３６６から軸方向に延びる軸部３６４上に設けられている。このフック３５６は、ろ過材に向って又は離れて、キャッチ３５８と係合したり、この係合を解除するように、ヒンジ部３６６に関して横方向に移動可能である。図１０〜１２に示した本発明に係る好適な実施形態では、フック３５６はキャッチ３５８との係合を外すようにろ過材３２に向って横方向（図１２の右方向）にヒンジ部３６６に関して移動可能であり、またキャッチ３５８と係合するようにろ過材３２から離れるように横方向（図１２の左方向）にヒンジ部３６６に関して移動可能である。
【００１８】
フック３５６は、軸方向に反対側に向うように表面３６８、３７０を有する。また、キャッチ３５８は、軸方向に反対側に向うように表面３７２、３７４を有している。エンドキャップ３２８は、軸方向の装着動作３５４によってベース３２４に取付けられるが、この際、表面３７０と３７２はカム面として作用して、表面３６８が表面３７４を越えて軸方向に移動するまで、第一横方向（図１２の右方向）で側方にフック３５６とカム状に作用するように係合する。さらに、フック３５６は、上記第一横方向とは反対方向の第二横方向（図１２の左方向）で側方に弾力的に戻って、表面３６８を表面３７４と軸方向に並ばせ、かつ軸方向に係合させて、エンドキャップ３２８がベース３２４から軸方向に離れることを防ぐようにして、図１２で、エンドキャップ３２８が軸方向で上方に移動することを防ぐようにする。尚、表面３６８はヒンジ３６６から軸方向に離れるように面する。また、表面３７０はヒンジ３６６に対して軸方向に向うように面する。また、フック３５６は、手動によりヒンジ３６６に関して上記第一横方向（図１２の右方向）で側方に移動可能であって、図１０を参照すると、表面３７４との軸方向の整合と軸方向の係合を外すように表面３６８を移動させて、フック３５６をキャッチ３５８から解除させると、エンドキャップ３２８とベース３２４を軸方向に分離させることができる。また、ヒンジ部３６６からタブ部３８２まで軸方向に延びるアーム３８０によってリテーナー３４８を備えている。フック３５６はヒンジ部３６６とタブ部３８２の間に軸方向に設けられて、アーム３８０から側方に延びている。アーム３８０はフック３５６とタブ部３８２の間に延びるように第一区間３８３を有し、またフック３５６とヒンジ部３６６の間に延びるように第二区間３８６を有しており、さらに上記軸部３６４を構成している。タブ部３８２にてアームを手で掴んで、上記第一横方向にアームを側方に移動させ、つまりろ過材３２に向って横方向内側に移動させると（図１２の右方向）、フック３５６はキャッチ３５８から解除されて、エンドキャップ３２８をベース３２４から軸方向に分離することを可能にする。アーム３８０の区間３８３は、フック３５６から軸方向にエンドキャップ２６に向って延びて、ろ過材３２から横方向外側に設けられて、これらの間に横方向のギャップ３８４を構成している。区間３８３とタブ部３８２をろ過材３２に向って内側に横方向に移動させると、フック３５６をキャッチ３５８から解除することができる。尚、表面３７２はエンドキャップ２６に向って軸方向に面する。表面３７４はエンドキャップ２６から軸方向に離れるように面する。エンドキャップ２６と３２８とベース３２４は好ましくはプラスチック製であって、ヒンジ部３６６はエンドキャップ３２８と一体の部分として構成される。また、エンドキャップ３２８とベース部３２４の間に軸方向にシーリングガスケット３７６を設けている。
【００１９】
好ましくは、上記軸方向のシーリングガスケット７６、２７６、３７６は、対応する第二エンドキャップとベースの間で可撓性を有するように圧縮可能であって、上記リテーナーによって及ぼされる上記軸方向の保持力と反対方向に軸方向にバイアス力を及ぼしている（図１〜１２の軸方向上方）。上記対応するフックとキャッチによって構成されるリテーナーは、第一軸方向（図１〜１２の軸方向下方）にフィルタエレメントをベース上に軸方向に装着するとき、第二エンドキャップをベースに対してスナップ係合させる。リテーナーは、第二エンドキャップとベースの間に軸方向の保持力を解除可能なように及ぼして、第二軸方向（図１〜１２の軸方向上方）でベースから第二エンドキャップが軸方向に分離することを防ぐようにする。対応する第二エンドキャップとベースの間に設けられる可撓性を有する圧縮可能な軸方向のシーリングガスケット７６、２７６、３７６は、上記第二軸方向（図１〜１２の軸方向上方）に軸方向のバイアス力を及ぼしている。ガスケット７６、２７６、３７６によって及ぼされる上記軸方向上方のバイアス力は、スナップ係合されるリテーナーの係合を常時固定させるように向上することができ、また常時付勢されるように係合させて、フィルタエレメントをベース上に保持することを向上することができる。第二エンドキャップとベースの間に設けられる軸方向のシーリングガスケットは、リテーナーによって及ぼされる軸方向の保持力とは反対方向に軸方向のバイアス力を及ぼすものとする。
【００２０】
以上、添付した図を参照して、本発明に係る実施形態について説明したが、添付した特許請求の範囲内で、本発明に対して様々な置き換え、変形や修正等を行うことは可能であることを理解されたい。
【図面の簡単な説明】
【００２１】
【図１】本発明の実施形態に係るフィルタを示す側面図である。
【図２】図１の線２−２で示した部分の拡大断面図である。
【図３】図１と同様だが、本発明の他の実施形態を示す図である。
【図４】図３の線４−４で示した部分の拡大断面図である。
【図５】本発明の他の実施形態を示す分解斜視図である。
【図６】図５に示したフィルタを組付けたときの斜視図である。
【図７】図６の線７−７で示した部分の断面図である。
【図８】図６に示した部分の他の実施形態を示す斜視図である。
【図９】図８の線９−９で示した部分の断面図である。
【図１０】本発明の他の実施形態を示す分解斜視図である。
【図１１】図１０に示したフィルタを組付けたときの斜視図である。
【図１２】図１１の線１２−１２で示した部分の断面図である。
【符号の説明】
【００２２】
２０、１２０、２２０、３２０  フィルタ
２２                          フィルタエレメント
２４、１２４、２２４、３２４  ベース
２６                          第一のエンドキャップ
２８、１２８、２２８、３２８  第二のエンドキャップ
３２                          ろ過材
４８、１４８、２４８、３４８  リテーナー
５６、１５６、２５６、３５６  フック
５８、１５８、２５８、３５８  キャッチ
【図１】
2005125325.tif 000003
【図２】
2005125325.tif 000004
【図３】
2005125325.tif 000005
【図４】
2005125325.tif 000006
【図５】
2005125325.tif 000007
【図６】
2005125325.tif 000008
【図７】
2005125325.tif 000009
【図８】
2005125325.tif 000010
【図９】
2005125325.tif 000011
【図１０】
2005125325.tif 000012
【図１１】
2005125325.tif 000013
【図１２】
2005125325.tif 000014